(57)【要約】【課題】引戸枠６の方立１０に戸袋Ｓの側壁１２となる壁材１３の戸先側端部１３ａを固定する場合に、既存の四角柱の方立１０を使用しつつ、壁材１３を方立１０に対し壁材１３の外面にビスＶが見えないように固定して、見映えの良い施工ができるようにする。【解決手段】方立１０に壁材１３の戸先側端部１３ａを引戸出入口Ｓ１から固定するための戸袋用施工部材２０を設ける。戸袋用施工部材２０は、方立１０に取付固定される方立固定部２１と、方立固定部２１に壁材位置決め部２２を介して接続され、ビスＶを引戸出入口Ｓ１よりも戸先側から引戸出入口Ｓ１を経由して挿通させて壁材１３の戸先側端部１３ａにおいて戸袋Ｓ内の内面に固着させることで壁材１３に取付固定される壁材固定部２３と、壁材固定部２３に接続され、ビスＶによる壁材固定部２３の固着時に先端２４ａで壁材１３内面に当接して壁材固定部２３が変形するのを阻止する支持部２４とを備える。【選択図】図５
2015214829.tif 000002
【特許請求の範囲】
【請求項１】
戸先側及び戸尻側縦枠と、横枠と、引戸を収納する戸袋の引戸出入口を形成する方立とを備えた引戸枠における上記方立に、戸袋の側壁となる壁材の戸先側端部を上記引戸出入口から固着具を介して固定するための戸袋用施工部材であって、
方立に取付固定される方立固定部と、
上記方立固定部に接続され、上記固着具を引戸出入口よりも戸先側から該引戸出入口を経由して挿通させて壁材の戸先側端部において戸袋内に位置する内面に固着させることで、該壁材に取付固定される壁材固定部とを備えたことを特徴とする戸袋用施工部材。
【請求項２】
請求項１において、
方立固定部が方立に取付固定された状態にあるときに、壁材固定部は戸尻側に向かって戸袋の幅方向中央側に向かうように傾斜しており、
基端が上記壁材固定部に接続され、固着具による壁材固定部と壁材との固着時に先端で壁材内面に当接して該壁材固定部が変形するのを阻止する支持部が設けられていることを特徴とする戸袋用施工部材。
【請求項３】
請求項１又は２において、
方立固定部と壁材固定部とは、壁材の内面に当接して該壁材を位置決め支持する壁材位置決め部によって接続されていることを特徴とする戸袋用施工部材。
【請求項４】
請求項３において、
方立固定部は、方立の戸尻側側面に取り付けられるように壁材位置決め部から戸袋の外側に向かう方向に延びており、
方立固定部、壁材位置決め部、壁材固定部及び支持部がＷ字形状に折れ曲がっていることを特徴とする戸袋用施工部材。
【請求項５】
請求項１〜４のいずれか１つにおいて、
折り曲げ加工又は押出成形により形成されていることを特徴とする戸袋用施工部材。
【請求項６】
請求項１〜５のいずれか１つの戸袋用施工部材の方立固定部が方立に取付固定され、
壁材固定部が壁材に、引戸出入口よりも戸先側から該引戸出入口を経由して壁材固定部に挿通された固着具を壁材の戸先側端部において戸袋内に位置する内面に固着することで取付固定されていることを特徴とする引戸構造。
【発明の詳細な説明】
【技術分野】
【０００１】
本発明は、引戸を納める戸袋の壁材を方立に固定するための戸袋用施工部材及びそれを用いた引戸構造に関する。
【背景技術】
【０００２】
戸袋付き引戸枠は建物の開口部に施工されるものであり、引戸の移動方向に対向して配置される戸先側及び戸尻側の縦枠と、これらの縦枠間に架け渡される横枠と、この横枠の中央部に縦枠と平行に配置される方立とからなり、戸尻側縦枠、横枠及び方立に亘り壁材が配置されて、それらで囲まれる空間に引戸を納める戸袋が形成され、方立が戸袋の引戸出入口を形成するようになっている。横枠が上枠（鴨居）だけの場合には三方枠となり、上枠及び下枠（敷居）の場合には四方枠となる。
【０００３】
ところで、このような戸袋付き引戸枠は、引戸を壁内に引き込む構造であるので、壁材を固定するための間柱等の下地を壁内に設けると、壁厚が必要以上に厚くなるという難がある。壁厚を薄くするために下地を設置しないようにすると、壁材の戸先側端部についてはその外面側から斜め方向に方立にビス等で固定する必要がある。その場合、施工が難しくなるだけでなく、壁材の端部が破損したり見映えが悪くなったりすることが生じる。
【０００４】
そこで、従来、例えば特許文献１に示されるように、断面矩形状の本体部と、その本体部に一体に設けられ、本体部の引戸出入口の内面側から戸尻側に延びる挿入部とを備えた断面略Ｌ字状のＬ型方立が提案されている。
【先行技術文献】
【特許文献】
【０００５】
【特許文献１】特開２００８−７５４２１号公報
【発明の概要】
【発明が解決しようとする課題】
【０００６】
上記のＬ型方立では、その挿入部の外面に壁材の戸先側端部をビス等で固定できるので、壁材の戸先側端部の外面側から斜め方向に方立にビス等で固定するのに比べて、ビス等の斜め打ちがない分だけ施工が容易となり、壁材の端部が破損することもない。
【０００７】
しかし、壁材の戸先側端部をその外面からビス等で固定するので、やはりその部分の見映えが悪くなるのは避けられない。しかも、方立をＬ型にするための加工が必要であること、及び専用の方立が必要で既存の形状の方立が使用できないことから、施工が面倒になる。
【０００８】
本発明は斯かる諸点に鑑みてなされたものであり、その目的は、壁材を方立に固定するときの新しい部材を工夫することにより、既存の四角柱の方立を使用しながら、壁材を方立に対し壁材の外面にビス等の固着具が見えないように固定して、見映えの良い施工ができるようにすることにある。
【課題を解決するための手段】
【０００９】
上記の目的を達成すべく、この発明では、一側部が方立に、また他側部が壁材にそれぞれ固定されて方立と壁材とを連結する部材を設け、この部材に対し壁材を内面から固定するようにした。
【００１０】
具体的には、第１の発明は、戸先側及び戸尻側縦枠と、横枠と、引戸を収納する戸袋の引戸出入口を形成する方立とを備えた引戸枠における上記方立に、戸袋の側壁となる壁材の戸先側端部を上記引戸出入口から固着具を介して固定するための戸袋用施工部材が対象である。
【００１１】
この戸袋用施工部材は、方立に取付固定される方立固定部と、この方立固定部に接続され、上記固着具を引戸出入口よりも戸先側から該引戸出入口を経由して挿通させて壁材の戸先側端部において戸袋内に位置する内面に固着させることで、該壁材に取付固定される壁材固定部とを備えたことを特徴とする。
【００１２】
この第１の発明では、戸袋用施工部材を方立固定部で方立に固定し、その方立に固定された戸袋用施工部材の壁材固定部を壁材の戸先側端部に固着具により固定する。この壁材固定部を壁材の戸先側端部に固定する際、固着具を引戸出入口よりも戸先側から引戸出入口を経由して壁材固定部に挿通させ、その壁材固定部に挿通された固着具を壁材の戸先側端部において戸袋内に位置する内面に固着させる。このように方立に固定された戸袋用施工部材の壁材固定部を壁材の戸先側端部の内面に固定することで、壁材が戸袋用施工部材を介して方立に安定して強固に固定される。
【００１３】
また、戸袋用施工部材の壁材固定部に挿通された固着具が壁材の内面に固着されることにより、壁材を内側から方立に固定できるので、その壁材の外面に固着具を固着する場合のように、固着された固着具が壁材の外面に現れることはなく、外観上の見映えの良い施工を行うことができる。
【００１４】
しかも、壁材を戸袋用施工部材を介して方立に固定するので、方立はＬ型のような特別な断面形状のものが不要で、既存の四角柱の方立を用いることができ、施工が容易にできる。
【００１５】
第２の発明は、第１の発明において、方立固定部が方立に取付固定された状態にあるときに、壁材固定部は戸尻側に向かって戸袋の幅方向中央側に向かうように傾斜しており、戸袋用施工部材に、基端が上記壁材固定部に接続され、固着具による壁材固定部と壁材との固着時に先端で壁材内面に当接して該壁材固定部が変形するのを阻止する支持部が設けられていることを特徴とする。
【００１６】
この第２の発明では、壁材固定部に固着具を挿通させて壁材の内面に固着するとき、その壁材固定部は戸尻側に向かって戸袋の幅方向中央側に向かうように傾斜しているので、例えば壁材固定部（戸袋用施工部材）の肉厚が薄い場合等に、固着具の固着動作により応力が加わって壁材固定部が方立固定部側の接続部分の回りに変形しようとする。しかし、その壁材固定部に基端が連続している支持部が先端で壁材内面に当接するので、壁材固定部が変形するのは阻止される。このことで壁材固定部及び方立を安定して壁材に固定することができる。
【００１７】
第３の発明は、第１又は第２の発明において、上記方立固定部と壁材固定部とは、壁材の内面に当接して該壁材を位置決め支持する壁材位置決め部によって接続されていることを特徴とする。
【００１８】
この第３の発明では、戸袋用施工部材を方立の所定位置に固定しておけば、その後に壁材の戸先側端部を方立に位置決めするときに、壁材の内面を戸袋用施工部材の壁材位置決め部の外面側に当接させることにより、その壁材が方立に位置決めされる。その位置決め状態で固着具を壁材固定部に挿通させて壁材内面に固着すればよく、よって壁材の位置決め固定が容易になる。
【００１９】
第４の発明は、第３の発明において、上記方立固定部は、方立の戸尻側側面に取り付けられるように壁材位置決め部から戸袋の外側に向かう方向に延びており、方立固定部、壁材位置決め部、壁材固定部及び支持部がＷ字形状に折れ曲がっていることを特徴とする。
【００２０】
この第４の発明では、方立固定部が壁材位置決め部から戸袋の外側に向かう方向に延び、戸袋用施工部材がＷ字形状に折れ曲がっているので、方立固定部を方立の戸尻側側面にビス等の固着具で取り付ける際に壁材固定部ないし支持部が干渉することはなく、その取付固定が容易になる。
【００２１】
第５の発明は、第１〜第４の発明において、戸袋用施工部材は、折り曲げ加工又は押出成形により形成されていることを特徴とする。
【００２２】
この第５の発明では、戸袋用施工部材を折り曲げ加工又は押出成形により容易に形成することができる。
【００２３】
第６の発明は、引戸構造に係るものであり、第１〜第５の発明のいずれか１つの戸袋用施工部材の方立固定部が方立に取付固定され、壁材固定部が壁材に、引戸出入口よりも戸先側から該引戸出入口を経由して壁材固定部に挿通された固着具を壁材の戸先側端部において戸袋内に位置する内面に固着することで取付固定されていることを特徴とする。
【００２４】
この第６の発明では、方立に戸袋用施工部材の方立固定部が取付固定され、この戸袋用施工部材の壁材固定部は、引戸出入口よりも戸先側から該引戸出入口を経由して挿通された固着具が壁材の戸先側端部において戸袋内に位置する内面に固着されることで、壁材に取付固定されているので、第１の発明と同様に、壁材が戸袋用施工部材を介して方立に安定して強固に固定されるとともに、内側から壁材が方立に固定されることで、外観上の見映えの良い施工を行うことができ、さらには、既存の四角柱の方立の使用により施工が容易にできる。
【発明の効果】
【００２５】
以上説明のように、第１及び第６の発明によると、引戸を収納する戸袋の引戸出入口を形成する方立に戸袋の側壁となる壁材の戸先側端部を固定するために、方立固定部と壁材固定部とを接続した戸袋用施工部材を設け、その壁材固定部は、固着具を引戸出入口よりも戸先側から引戸出入口を経由して挿通させて壁材の戸先側端部において戸袋内に位置する内面に固着させることで該壁材に取付固定されるものとしたことにより、壁材を内側から方立に固定して、外観上の見映えの良い施工を行うことができるとともに、既存の四角柱の方立を用いて施工が容易にできる。
【００２６】
第２の発明によると、戸尻側に向かって戸袋の幅方向中央側に向かうように傾斜した壁材固定部に、固着具による壁材固定部と壁材との固着時に先端で壁材内面に当接して壁材固定部が変形するのを阻止する支持部を設けたことにより、固着具の固着動作により応力が加わって壁材固定部が変形するのを阻止し、壁材固定部ないし方立を安定して壁材に固定することができる。
【００２７】
第３の発明によると、方立固定部と壁材固定部とを壁材位置決め部によって接続したことにより、戸袋用施工部材を方立の所定位置に固定した後に、壁材の内面を戸袋用施工部材の壁材位置決め部の外面側に当接させて、その壁材壁材の位置決め固定を容易に行うことができる。
【００２８】
第４の発明によると、方立固定部は、壁材位置決め部から戸袋の外側に向かう方向に延びたものとし、方立固定部、壁材位置決め部、壁材固定部及び支持部がＷ字形状に折れ曲がっていることにより、方立固定部を方立の戸尻側側面にビス等の固着具で取り付ける際に壁材固定部ないし支持部が干渉することはなく、その取付固定が容易になる。
【００２９】
第５の発明によると、戸袋用施工部材を折り曲げ加工又は押出成形により形成したことにより、戸袋用施工部材を容易に形成することができる。
【図面の簡単な説明】
【００３０】
【図１】図１は、本発明の実施形態に係る戸袋用施工部材の拡大斜視図である。
【図２】図２は、戸袋用施工部材の拡大断面図である。
【図３】図３は、引戸装置の引戸枠及び引戸を示す斜視図である。
【図４】図４は、壁材を取り付ける施工状態を示す斜視図である。
【図５】図５は、戸袋用施工部材によって壁材の戸先側端部を方立に取り付ける施工状態を拡大して示す断面図である。
【図６】図６は、戸袋用施工部材によって壁材の戸先側端部を方立に取り付ける施工状態を拡大して示す斜視図である。
【図７】図７は、壁材の外面に石膏ボードを取り付ける施工状態を示す斜視図である。
【図８】図８は、引戸装置の戸袋を概略的に示す断面図である。
【図９】図９は、引戸装置を示す斜視図である。
【発明を実施するための形態】
【００３１】
以下、本発明の実施形態を図面に基づいて詳細に説明する。以下の実施形態の説明は、本質的に例示に過ぎず、本発明、その適用物或いはその用途を制限することを意図するものでは全くない。
【００３２】
図３、図４、図７及び図９において、１は建物の開口部周囲の左側部分を形成する左柱、２は同右側部分を形成する右柱、３は同上側部分を形成するまぐさであり、上記建物の開口部に例えば左開きの引戸１６を有する引戸装置５が設置され、この引戸装置５は、本発明の実施形態に係る引戸枠６を備えている。
【００３３】
上記引戸枠６は、左右方向に互いに間隔を空けて立設される戸先側縦枠７及び戸尻側縦枠８と、これら縦枠７，８の上端部間に架け渡されて連結固定された左右水平方向に延びる横枠９（鴨居）と、戸先側及び戸尻側縦枠７，８間の中央位置に立設され、上端部が横枠９に連結固定された前後１対の方立１０，１０とを備えている。戸先側縦枠７は上記左柱１の右側面に、また戸尻側縦枠８は右柱２の左側面に、さらに横枠９はまぐさ３の下面にそれぞれ固定される。
【００３４】
上記戸先側縦枠７は戸尻側縦枠８よりも幅の広い厚肉の板材からなっている。横枠９は戸先側（左側）半部の幅が戸尻側（右側）半部よりも広い厚肉の板材からなり、それら両半部は段差状に接続され、その接続部の幅方向（前後方向）両側には嵌合凹部９ａ，９ａが形成されており、この嵌合凹部９ａ，９ａにそれぞれ上記方立１０，１０の上端部が嵌合されて固定されている。両方立１０，１０の下端部は床４上にビス止めされており、このことで、両方立１０，１０は互いに平行に起立していて、両方立１０，１０間に引戸１６を収納する戸袋Ｓの引戸出入口Ｓ１が形成されるようになっている。
【００３５】
図示しないが、横枠９の下面には、その略全長に亘って上吊りレールが固定され、この上吊りレールには例えば左右２つの吊り車がスライド移動可能に係合支持され、両吊り車はそれぞれ引戸１６の上端部の左右両端に取付固定されており、このことで引戸１６は、横枠９に上吊りレール及び吊り車を介して左右方向にスライド移動するように吊り下げ支持された上吊り式とされ、引戸１６が右側に移動したときには開き状態に、また左側に移動いたときには閉じ状態にそれぞれなるようになっている。
【００３６】
尚、引戸１６の戸先側端部（左端部）における前後面の上下中間部には引手１７，１７（図では前側のみを示す）が取り付けられている。また、図６及び図８に示すように、前後の方立１０，１０の対向面には、引戸１６との間の隙間をシールして埃や騒音等を遮断するためのモヘアシール１８，１８が取り付けられている。また、図示しないが、方立１０，１０間の床４上面には床付けガイドピンが取り付けられており、このガイドピンを引戸１６の下面に長さ方向（左右方向）に形成したガイド溝に係合させることで、引戸１６の下端部を左右方向（開閉方向）に案内するようにしている。
【００３７】
上記戸尻側縦枠８と方立１０，１０との間には側壁１２が施工されている。図８に示すように、この側壁１２は前後に間隔をあけて対向配置された壁部からなり、各壁部は合板等からなる例えば厚さ１２ｍｍの壁材１３と、その外面に重ねられて施工された例えば厚さ１２〜２０ｍｍの石膏ボード１４とを備えている。図４に示すように、壁材１３は、戸尻側端部が戸尻側縦枠８の外面に、また上端部が横枠９の外面に、さらに下端部が床４にそれぞれ複数のビスＶ，Ｖ，…により所定ピッチをあけた位置で固定されている。一方、図７に示すように、石膏ボード１４は上記壁材１３の外面に複数のビスＶ，Ｖ，…により所定ピッチをあけた位置で固定されている。このような構造により、側壁１２の内部に、その前後の壁部（壁材１３及び石膏ボード１４）、戸尻側縦枠８、横枠９、床４及び方立１０，１０で囲まれる空間により、引戸１６を開き位置で収納する戸袋Ｓが形成され、前後の方立１０，１０間は該戸袋Ｓの引戸出入口Ｓ１となっている。
【００３８】
本発明の特徴は、上記各方立１０に戸袋Ｓの側壁１２となる各壁材１３の戸先側端部１３ａを固定する構造にある。この壁材１３の戸先側端部１３ａは、戸尻側端部や上端部等の他の端部が外面（戸袋Ｓ外の面）からビスＶ，Ｖ，…により戸尻側縦枠８や横枠９等に固定されるのと異なり、その内面（戸袋Ｓ内の面）で方立１０，１０間の引戸出入口Ｓ１からビスＶ，Ｖ，…（固着具）を介して方立１０，１０に固定され、その固定のための部材が用いられている。
【００３９】
すなわち、図１及び図２は、上記各壁材１３の戸先側端部１３ａを戸袋Ｓの引戸出入口Ｓ１からビスＶ，Ｖ，…を介して固定するための戸袋用施工部材２０を示している。この戸袋用施工部材２０は、前側の壁材１３を前側の方立１０に固定するためのものと、後側の壁材１３を後側の方立１０に固定するためのものとに分けられるが、両者は互いに同じものであり、上下を逆にして使用される。
【００４０】
戸袋用施工部材２０は、方立１０の高さと略同じ長さを有する長尺の金属製等の板材からなるもので、折り曲げ加工又は押出成形により形成されている。戸袋用施工部材２０は、いずれも細長い平板帯状の方立固定部２１、壁材位置決め部２２、壁材固定部２３及び支持部２４が順に接続されて一体化されており、これらが全体としてＷ字形状つまり断面略Ｗ字状に折れ曲がっている。
【００４１】
具体的には、方立固定部２１及び支持部２４は互いに略同じ幅を有し、壁材位置決め部２２及び壁材固定部２３も互いに略同じ幅を有する。方立固定部２１は壁材位置決め部２２の一端から例えば９０°の角度で折れ曲がるように延び、支持部２４も壁材固定部２３の一端から例えば９０°の角度で折れ曲がるように延びている。そして、壁材位置決め部２２及び壁材固定部２３の他端同士は、方立固定部２１と支持部２４とをそれぞれ通る平面が例えば４５°で交差しかつ方立固定部２１、壁材位置決め部２２、壁材固定部２３及び支持部２４の全体で断面略Ｗ字形状をなすように例えば１３５°の角度で一体に接続されている。この戸袋用施工部材２０は、後述するビス挿通孔２１ａ，２３ａの形成位置が異なるだけで、形状だけ見ると、壁材位置決め部２２及び壁材固定部２３間の接続位置を通る面に対し面対称となっている。
【００４２】
図５及び図６に示すように、上記方立固定部２１は方立１０に取付固定される部分で、壁材位置決め部２２からそれに対し例えば９０°の角度で戸袋Ｓの外側（対向する方立１０から離れる側）に向かう方向に延びており、その幅方向の中央には複数のビス挿通孔２１ａ，２１ａ，…が長さ方向に所定ピッチ（例えば３００ｍｍ）で並んで貫通形成されている。そして、方立１０の戸尻側側面１０ａ（右側面）には内側寄り位置に、方立固定部２１の幅よりも若干広い幅を有しかつ方立固定部２１の厚さよりも若干深い浅溝からなる取付部１１が凹陥形成されており、この取付部１１に方立固定部２１を嵌装した状態で方立固定部２１のビス挿通孔２１ａ，２１ａ，…にビスＶ，Ｖ，…を挿通して方立１０の戸尻側側面１０ａに螺合締結することで、方立固定部２１が方立１０の戸尻側側面１０ａに取り付けられるようになっている。尚、方立１０の取付部１１は必須ではなく、方立固定部２１を直接に方立１０の戸尻側側面１０ａに取り付けるようにしてもよい。
【００４３】
上記壁材位置決め部２２は、一端が上記方立固定部２１の内端に上述の如く例えば９０°の角度をあけて一体に接続され、壁材位置決め部２２の他端は壁材固定部２３に一体に接続されており、方立固定部２１と壁材固定部２３とは壁材位置決め部２２によって接続されている。壁材位置決め部２２は引戸１６と平行に左右方向に延びており、その外面（Ｗ字形状では内面）に壁材１３の戸先側端部１３ａの内面を当接させることにより、その壁材１３の戸先側端部１３ａを適切な施工位置（取付位置）に位置決め支持するようにしている。
【００４４】
上記壁材固定部２３は、壁材１３の内面に固定される部分であり、上述のように方立固定部２１に壁材位置決め部２２を介して接続されている。この壁材固定部２３は、方立固定部２１が方立１０の戸尻側側面１０ａに取付固定された状態にあるときに、戸尻側に向かって戸袋Ｓの幅方向中央側に向かうように引戸１６と平行な鉛直面に対して所定の傾斜角度θ（例えば４５°）で傾斜している。壁材固定部２３の幅方向の中央にも上記方立固定部２１のビス挿通孔２１ａ，２１ａ，…に対応した位置に複数のビス挿通孔２３ａ，２３ａ，…が長さ方向に所定ピッチ（例えば３００ｍｍ）で並んで貫通形成されており、図５及び図６に示すように、戸袋用施工部材２０の方立固定部２１が方立１０の戸尻側側面１０ａに取付固定された状態で、ビスＶ，Ｖ，…を方立１０，１０間の引戸出入口Ｓ１よりも戸先側から該引戸出入口Ｓ１を経由して壁材固定部２３のビス挿通孔２３ａ，２３ａ，…に挿通させ、そのビスＶ，Ｖ，…を壁材１３の戸先側端部１３ａにおいて戸袋Ｓ内に位置する内面に螺合により固着させることで、壁材１３に壁材固定部２３が取付固定されるようにしている。図５のＳＤはビスＶ，Ｖ，…を回し操作するための手動又は電動のドライバー（ねじ回し）である。
【００４５】
上記支持部２４は、その基端が上記壁材固定部２３に例えば９０°の角度で接続されており、ビスＶ，Ｖ，…によって壁材固定部２３と壁材１３とを固着するときに、支持部２４の先端２４ａを壁材１３内面に当接させて該壁材固定部２３が変形するのを阻止するようにしている。
【００４６】
すなわち、以上により、戸袋用施工部材２０の方立固定部２１が方立１０に取付固定され、壁材固定部２３が壁材１３に、引戸出入口Ｓ１よりも戸先側から該引戸出入口Ｓ１を経由して壁材固定部２３に挿通されたビスＶ，Ｖ，…を壁材１３の戸先側端部１３ａにおいて戸袋Ｓ内に位置する内面に固着することで取付固定されている引戸構造が構成されている。
【００４７】
次に、上記戸袋用施工部材２０を用いて引戸装置５を施工する手順について説明する。図３に示すように、戸先側及び戸尻側縦枠７，８の上端部間に横枠９（鴨居）を架け渡して固定し、建物の開口部の周囲部分を形成する左右の柱１，２に戸先側及び戸尻側縦枠７，８を、またまぐさ３の下面に横枠９をそれぞれ固定する。次いで、横枠９の下面に上吊りレールを固定した後、方立１０，１０を起立状態にして上端部を横枠９の嵌合凹部９ａ，９ａに嵌合して固定し、方立１０，１０の下端は床４にビス止めする。戸尻側縦枠８の戸先側側面に、全開位置の引戸１６に当たる戸当たりゴム（図示せず）を、また方立１０，１０間の床４にガイドピンをそれぞれ取り付けた後、引戸１６を方立１０，１０間に差し込んで、その上端部を上吊りレールの吊り車に取付固定し、その引戸１６を左右方向にスライド移動可能となるように位置調整する。
【００４８】
しかる後に側壁１２を施工する。この側壁１２の施工時には、まず、上記戸袋用施工部材２０を用い、その方立固定部２１が壁材位置決め部２２に対し戸袋Ｓの外側を向くように配置して、方立固定部２１を各方立１０の戸尻側側面１０ａの取付部１１に嵌装し、その状態でビスＶ，Ｖ，…を方立固定部２１のビス挿通孔２１ａ，２１ａ，…を挿通させて方立１０に螺合締結することで、方立固定部２１を各方立１０にビスＶ，Ｖ，…により固定する。
【００４９】
そのとき、上記方立固定部２１は、壁材位置決め部２２から戸袋Ｓの外側に向かう方向に延びており、方立固定部２１、壁材位置決め部２２、壁材固定部２３及び支持部２４がＷ字形状に折れ曲がっていることから、方立固定部２１を方立１０の戸尻側側面１０ａにビスＶ，Ｖ，…で取り付ける際に壁材固定部２３ないし支持部２４が邪魔になることはなく、その取付固定が容易になる。
【００５０】
次に、図４に示すように、前後の各壁材１３を方立１０、戸尻側縦枠８、横枠９及び床４にビスＶ，Ｖ，…により固定する。
【００５１】
そのとき、最初に、壁材１３の戸先側端部１３ａを方立１０に取り付け、その後に、壁材１３において戸先側端部１３ａを除いた３つの端部、すなわち戸尻側端部は戸尻側縦枠８に、また上端部は横枠９に、さらに下端部は床４にそれぞれ壁材１３外面からビスＶ，Ｖ，…で固定する。
【００５２】
上記壁材１３の戸先側端部１３ａを方立１０に戸袋用施工部材２０を用いて取り付る際には次のように行う。すなわち、図５及び図６に示すように、先に方立１０の戸尻側側面１０ａに方立固定部２１にて固定されている戸袋用施工部材２０に対し、その壁材位置決め部２２の外面（Ｗ字形状では内面）に壁材１３の戸先側端部１３ａの内面を当接させる。このことにより、その壁材１３の戸先側端部１３ａが適切な施工位置（取付位置）に位置決め支持される。また、この位置決め状態では、支持部２４の先端２４ａも壁材１３の内面に当接している。
【００５３】
そのとき、戸袋用施工部材２０を方立１０の所定位置に固定しておけば、その後に壁材１３の戸先側端部１３ａの内面を戸袋用施工部材２０の壁材位置決め部２２の外面側に当接させるだけで、その壁材１３が方立１０に対して位置決めされるので、その壁材１３の位置決め固定が容易になる。
【００５４】
このような戸袋用施工部材２０の壁材位置決め部２２による位置決め状態で、その傾斜している壁材固定部２３のビス挿通孔２３ａ，２３ａ，…にビスＶ，Ｖ，…を方立１０，１０間の引戸出入口Ｓ１よりも戸先側から引戸出入口Ｓ１を経由して挿通させ、ドライバーＳＤによりそのビスＶ，Ｖ，…を、壁材１３の戸先側端部１３ａ内面において支持部２４の先端２４ａの当接位置よりも戸先側に螺合させて締結する。このことにより戸袋用施工部材２０を壁材固定部２３でビスＶ，Ｖ，…により壁材１３に固着し、この戸袋用施工部材２０を介して壁材１３の戸先側端部１３ａを方立１０に取付固定する。
【００５５】
そのとき、上記壁材固定部２３は引戸１６と平行な鉛直面に対して傾斜しているので、方立１０，１０間の引戸出入口Ｓ１よりも戸先側から引戸出入口Ｓ１を経由してビスＶ，Ｖ，…をドライバーＳＤで回し操作して螺合締結する作業を容易に行うことができる。
【００５６】
また、このように壁材固定部２３が傾斜していると、ビスＶ，Ｖ，…の固着動作により応力が加わって壁材固定部２３が方立固定部２１側の接続部分回りに変形して傾倒しようとするが、その壁材固定部２３に連続している支持部２４が先端２４ａで壁材１３内面に当接しているので、この支持部２４が突っ張るように支えとなり、壁材固定部２３が変形するのは阻止される。このことで壁材固定部２３ないし方立１０を安定して壁材１３に固定することができる。
【００５７】
このようにして壁材１３の戸先側端部１３ａを方立１０に取り付け、次いで、戸先側端部１３ａを除いた３つの端部を固定し、壁材１３を四周端部で固定する。
【００５８】
しかる後、図７に示すように、その各壁材１３の外面に石膏ボード１４をビスＶ，Ｖ，…により固定する（尚、図７では前側の石膏ボード１４のみを示している）。以上により、図８に示すような戸袋Ｓが形成され、図９に示すように引戸装置５の施工が完了する。
【００５９】
したがって、この実施形態においては、各方立１０に固定された戸袋用施工部材２０の壁材固定部２３を壁材１３の戸先側端部１３ａの内面に固定することで、壁材１３を戸袋用施工部材２０を介して方立１０に安定して強固に固定することができる。
【００６０】
また、戸袋用施工部材２０の壁材固定部２３に挿通されたビスＶ，Ｖ，…は壁材１３の戸先側端部１３ａの内面に固着されて、その壁材１３の戸先側端部１３ａを内側から方立１０に固定できるので、その壁材１３の戸先側端部１３ａ外面にビスＶ，Ｖ，…を固着した場合のように、ビスＶ，Ｖ，…が壁材１３の外面に現れることはない。そのため、外観上の見映えの良い施工を行うことができる。
【００６１】
しかも、壁材１３を戸袋用施工部材２０を介して方立１０に固定するので、方立１０としては、特別な加工を要するＬ型のような断面形状のものが不要で、既存の四角柱のものをそのまま用いることができ、施工が容易にできる。
【００６２】
さらに、上記戸袋用施工部材２０は、折り曲げ加工又は押出成形により形成されているので、戸袋用施工部材２０を容易に形成することができる。
【００６３】
（その他の実施形態）
上記実施形態では、戸袋用施工部材２０は、壁材位置決め部２２及び支持部２４を備えているものとしているが、この壁材位置決め部２２及び支持部２４を必ず設ける必要はなく、省略することもできる。例えば戸袋用施工部材２０の板厚を厚くする等して壁材固定部２３の強度ないし剛性を高くし、ビスＶ，Ｖ，…の固着動作により応力が加わっても壁材固定部２３が方立固定部２１側の接続部分回りに変形しないようにしておけば、その壁材固定部２３の倒れを阻止するための支持部２４は不要である。また、壁材１３の位置決めを別の手段で行うことができるのであれば、壁材位置決め部２２を設けずとも済み、方立固定部２１に直接に壁材固定部２３を接続することができる。しかし、これら壁材位置決め部２２及び支持部２４によって上記の作用効果が得られる点では、壁材位置決め部２２及び支持部２４を設ける方が好ましい。
【００６４】
また、上記実施形態では、戸袋用施工部材２０は、方立１０，１０の高さと略同じ長さを有する長尺のものとしているが、これに代えて、例えば１００〜２００ｍｍの長さの短いものとし、その短い複数の戸袋用施工部材２０，２０，…を方立１０において少なくとも上下部に互いに離して配置し、それら戸袋用施工部材２０，２０，…によって壁材１３を方立１０に固定するようにしてもよい。その場合も上記実施形態と同様の作用効果を奏することができる。
【産業上の利用可能性】
【００６５】
本発明は、引戸枠の方立に側壁の壁材を固定する場合に、外観上の見映えの向上及び既存の四角柱の方立の使用により施工が容易にでき、極めて有用である。
【符号の説明】
【００６６】
５  引戸装置
６  引戸枠
７  戸先側縦枠
８  戸尻側縦枠
９  横枠
１０  方立
１０ａ  戸尻側側面
Ｓ  戸袋
Ｓ１  引戸出入口
１２  側壁
１３  壁材
１３ａ  戸先側端部
１６  引戸
２０  戸袋用施工部材
２１  方立固定部
２２  壁材位置決め部
２３  壁材固定部
２３ａ  ビス挿通孔
θ  傾斜角度
２４  支持部
２４ａ  先端
Ｖ  ビス（固着具）
ＳＤ  ドライバー（ねじ回し）
【図１】
2015214829.tif 000003
【図２】
2015214829.tif 000004
【図３】
2015214829.tif 000005
【図４】
2015214829.tif 000006
【図５】
2015214829.tif 000007
【図６】
2015214829.tif 000008
【図７】
2015214829.tif 000009
【図８】
2015214829.tif 000010
【図９】
2015214829.tif 000011